(57)【要約】【課題】患者に対して密にコミュニケーションを図り、信頼に基づく治療を支援できる、歯科画像表示プログラム、記録媒体並びに販売システムを提供する。【解決手段】電子計算機にインストールされ、同電子計算機を歯科画像表示装置として機能させる歯科画像表示プログラムであって、前記電子計算機に、歯の画像を入力する機能と、前記歯の画像を記憶する機能と、歯科補綴物に関する情報を表示する機能とを付与する歯科画像表示プログラム。【選択図】図１
2007117423.tif 000002
【特許請求の範囲】
【請求項１】
電子計算機にインストールされ、同電子計算機を歯科画像表示装置として機能させる歯科画像表示プログラムであって、
前記電子計算機に、
歯の画像を入力する機能と、
前記歯の画像を記憶する機能と、
歯科補綴物に関する情報を表示する機能とを付与する
歯科画像表示プログラム。
【請求項２】
前記電子計算機に、歯科補綴物を装着する前の歯の画像と歯科補綴物を装着した後の歯の画像とを表示する機能を付与する
請求項１に記載の歯科画像表示プログラム。
【請求項３】
前記電子計算機に、前記歯の画像を回転表示する機能を付与する
請求項１または請求項２に記載の歯科画像表示プログラム。
【請求項４】
電子計算機に、
歯の画像を入力する機能と、
前記歯の画像を記憶する機能と、
歯科補綴物に関する情報を表示する機能とを付与する、前記電子計算機を歯科画像表示装置として機能させる歯科画像表示プログラムを記録した電子計算機読み取り可能な記録媒体。
【請求項５】
前記歯科画像表示プログラムが、前記電子計算機に、歯科補綴物を装着する前の歯の画像と歯科補綴物を装着した後の歯の画像とを表示する機能を付与する
請求項４に記載の記録媒体。
【請求項６】
前記歯科画像表示プログラムが、前記電子計算機に、前記歯の画像を回転表示する機能を付与する
請求項４または請求項５に記載の記録媒体。
【請求項７】
電子計算機にインストールされ、該電子計算機に、歯の画像を入力する機能と、前記歯の画像を記憶する機能と、歯科補綴物に関する情報を表示する機能とを付与する歯科画像表示プログラムの販売システムであって、
歯科医療拠点から、販売拠点へ前記歯の画像を送るステップと、
所定の条件に従って前記販売拠点から前記歯科医療拠点へ報酬を提供するステップとを備える
販売システム。
【発明の詳細な説明】
【技術分野】
【０００１】
本発明は歯科画像表示プログラム、記録媒体並びに販売システムに関する。詳しくは、歯科治療内容に対する患者の理解を深め、信頼に基づく治療を速やかに行なえる、歯科画像表示プログラム、記録媒体並びに販売システムに係るものである。
【背景技術】
【０００２】
従来、歯科治療において、患者は差し歯や詰め物（インレー）等の見本を治療時に歯科医師から見せられて、これから受ける治療の説明を受け、歯科医師は各患者に合った差し歯や詰め物等の製作を歯科技工所に依頼しているが、患者は、治療を受ける前にどのような差し歯やインレー等があるのかを充分に把握することができなかった。義歯見本としては特許文献１に示されるものが存在していた。
【０００３】
【特許文献１】実用新案登録第３０６７７８４号公報
【発明の開示】
【発明が解決しようとする課題】
【０００４】
しかしながら、従来の見本は差し歯やインレー等の見本ではなく、従来の見本では治療を受ける前にどのような差し歯やインレー等があるのかを依然として充分に把握できず、患者自身にとっては、治療内容が不明瞭であるための不安を解消できていなかった。また、従来の見本では情報量が少なく、詳細な治療内容を患者に伝えることが困難であったと考えられる。
【０００５】
本発明は、以上の点に鑑みて創案されたものであり、患者に対して密にコミュニケーションを図り、信頼に基づく治療を支援できる、歯科画像表示プログラム、記録媒体並びに販売システムを提供することを目的とする。
【課題を解決するための手段】
【０００６】
上記の目的を達成するために、本発明の歯科画像表示プログラムは、電子計算機にインストールされ、同電子計算機を歯科画像表示装置として機能させる歯科画像表示プログラムであって、前記電子計算機に、歯の画像を入力する機能と、前記歯の画像を記憶する機能と、歯科補綴物に関する情報を表示する機能とを付与する。
【０００７】
ここで、歯の画像を入力する機能を付与することによって、歯科医師や歯科技工士が適宜、歯の画像を更新することができる。また、歯科補綴物に関する情報を表示する機能を付与することによって、歯科医院において患者は、治療内容を事前に理解できる。なお、「歯科補綴物に関する情報」には、各歯科補綴物（詰め物（インレー）、差し歯、かぶせ物、入れ歯、インプラント、ホワイトニング等）についての説明文、各歯科補綴物が装着された歯の見本画像、それぞれの保険適用の可否等が含まれる。
【０００８】
また、本発明の歯科画像表示プログラムにおいて、電子計算機に、歯科補綴物を装着する前の歯の画像と歯科補綴物を装着した後の歯の画像とを表示する機能を付与する場合には、患者は治療前と治療後の歯の状態を比較でき、より一層治療内容を理解できる。
【０００９】
更に、本発明の歯科画像表示プログラムにおいて、電子計算機に、歯の画像を回転表示する機能を付与する場合には、患者は、例えば歯科補綴物が装着された歯の画像を立体的に把握することが可能となる。
【００１０】
また、上記の目的を達成するために、本発明の記録媒体は、電子計算機に、歯の画像を入力する機能と、前記歯の画像を記憶する機能と、歯科補綴物に関する情報を表示する機能とを付与する、前記電子計算機を歯科画像表示装置として機能させる歯科画像表示プログラムを記録した電子計算機読み取り可能なものである。
【００１１】
ここで、歯の画像を入力する機能を付与することによって、歯科医師や歯科技工士が適宜、歯の画像を更新することができる。また、歯科補綴物に関する情報を表示する機能を付与することによって、歯科医院において患者は、治療内容を事前に理解できる。なお、「歯科補綴物に関する情報」には、各歯科補綴物（詰め物（インレー）、差し歯、かぶせ物、入れ歯、インプラント、ホワイトニング等）についての説明文、各歯科補綴物が装着された歯の見本画像、それぞれの保険適用の可否等が含まれる。
【００１２】
また、上記の目的を達成するために、本発明の販売システムは、電子計算機にインストールされ、該電子計算機に、歯の画像を入力する機能と、前記歯の画像を記憶する機能と、歯科補綴物に関する情報を表示する機能とを付与する歯科画像表示プログラムの販売システムであって、歯科医療拠点から、販売拠点へ前記歯の画像を送るステップと、所定の条件に従って前記販売拠点から前記歯科医療拠点へ報酬を提供するステップとを備える。
【００１３】
ここで、歯科医療拠点から販売拠点へ歯の画像を送るステップによって、患者の歯と接する機会の多い歯科医療拠点から効率よく、歯科画像表示プログラムに入力する歯の画像を入手できる。また、所定の条件に従って前記販売拠点から前記歯科医療拠点へ報酬を提供するステップによって、歯科医師等の歯科医療従事者は積極的に歯の画像を提供したり、歯科画像表示プログラムの宣伝を積極的に行なったりして、歯科画像表示プログラムの販売を促進できる。なお、ここでいう「所定の条件」とは、例えば「プログラムの売上額のうち所定の割合の額を支払う」や、「画像１枚当たり所定の額を支払う」といった、販売拠点から歯科医療拠点へ支払われる報酬に関する条件をいう。
【発明の効果】
【００１４】
本発明に係る歯科画像表示プログラムによって、患者に対して密にコミュニケーションを図り、信頼に基づく治療を支援できる。
【００１５】
本発明に係る記録媒体によって、患者に対して密にコミュニケーションを図り、信頼に基づく治療を支援できる。また、患者が診療室に入る前に事前に治療内容を患者に伝えることができる。
【００１６】
本発明に係る販売システムによって、患者に対して密にコミュニケーションを図り、信頼に基づく治療を支援できる。
【発明を実施するための最良の形態】
【００１７】
以下、本発明の実施の形態について図面を参照しながら説明し、本発明の理解に供する。図１は、本発明を適用した歯科画像表示プログラムがインストールされたコンピュータの画面に表示された歯科補綴物の説明表の一例を示す概略図である。
図１において、歯科補綴物の説明表１は、各歯科補綴物の種類の名称即ち差し歯、インレー、ラミネート、コア、入れ歯、インプラント、ホワイトニング等が表示された名称領域２と、各歯科補綴物が保険の適用を受けられるかどうかを示す保険適用可否領域３と、セラミック、プラスチック、金等の各歯科補綴物の材質を示す材質領域４と、各歯科補綴物の説明文を示す説明領域５と、各歯科補綴物が適用された歯の画像を示す画像領域６から構成されている。また、ここでいう歯の画像には、歯の写真や歯のグラフィックス等が含まれる。
また、各材質領域、その各説明領域、及びその各画像領域の少なくとも一つの領域は、各歯科補綴物の個別ページとリンクされており、各材質領域をマウスでクリックすると、個別ページが画面上に表示される。
【００１８】
ここで、歯科補綴物に関する情報を表示できるのであれば、必ずしも説明表のような構成でなくてもよく、また、音声による歯科補綴物の説明が行なわれてもよく、更に、各画像領域付近に設けられたチェックボックスにチェックマークが入れられた各歯科補綴物の個別ページをまとめて表示するようにしてもよい。
【００１９】
図２は、本発明を適用した歯科画像表示プログラムがインストールされたコンピュータの画面に表示された歯科補綴物の個別ページの一例を示す概略図である。図２において、個別ページは、材質領域４と、説明領域５と、歯科補綴物が適用された歯の前歯と奥歯の立体的な画像を示す画像領域６と、真上の画像を拡大して表示したページとリンクした拡大ボタン７と、歯科補綴物を適用した場合の様々な効果の大小を歯の絵柄の数によって示す効果領域８と、歯科補綴物が適用された歯を自動的に３６０°回転して表示したページとリンクした回転ボタン９と、歯科補綴物を装着する前の歯の画像と歯科補綴物を装着した後の歯の画像が並んで表示された症例ページとリンクする、歯科補綴物を装着する前の歯の画像を示す症例画像領域１０とから構成されている。また、歯科補綴物が適用された歯を回転して表示できるのであれば、マウス操作やキーボードのキー操作によって回転表示させてもよい。
ここで、効果領域は、説明表に表示されず個別ページに表示されているが、効果領域を説明表に表示すれば、他の材質や他の種類の歯科補綴物との効果の比較を行ない易い。また、歯科補綴物に関する情報が表示されるのであれば、必ずしも歯科補綴物を装着する前の歯の画像と歯科補綴物を装着した後の歯の画像を表示しなくてもよく、また、画像領域に示される歯の画像は回転表示されなくてもよい。
【００２０】
図３は、本発明を適用した歯科画像表示プログラムがインストールされたコンピュータの画面に表示された症例ページの一例を示す概略図である。図３において、症例ページは、歯科補綴物を装着する前の歯の画像と歯科補綴物を装着した後の歯の画像が並んで表示された画像領域６と、各画像を動画で表示したページとリンクした動画ボタン１１から構成されている。
【００２１】
次に、本発明を適用した歯科画像表示プログラムの販売システムについて説明する。本発明の販売システムは、歯科医師や歯科技工士が属する歯科医療拠点から、歯科画像表示プログラムを作成及び販売するソフトメーカーやソフトメーカーと提携した会社等のプログラムの作成または販売に関係する者が属する販売拠点へ、歯科画像表示プログラムに使う、歯科補綴物が装着された歯の見本の画像や、歯科補綴物が装着された患者の歯の画像や、歯科補綴物が装着される前の患者の歯の画像を送るステップと、歯科画像表示プログラムの売上額の数％例えば３〜５％の額を報酬として販売拠点から歯科医療拠点へ提供するステップとを備えている。
【００２２】
ここで、歯科医療拠点から販売拠点へ歯の画像を送ることができれば、どのような手段を用いてもよく、例えば郵便や電子メールによって送ってもよい。また、本発明を適用した歯科画像表示プログラムを販売できれば、どのような販売形態でもよく、例えばインターネット上で歯科医師等の端末に歯科画像表示プログラムをダウンロードさせたり、歯科医師等に歯科画像表示プログラムが記録されたＤＶＤ等を渡したりしてもよい。
また、本発明を適用した歯科画像表示プログラムを購入した歯科医師等には、販売拠点からＩＤとパスワードが付与され、本発明を適用した歯科画像表示プログラムが症例写真等を増加してバージョンアップした場合には、歯科医師等が、付与されたＩＤとパスワードを入力して、ソフトメーカー等のサイトからバージョンアップされた部分のプログラムをダウンロードできるようにすれば、便利であるが、バージョンアップされた歯科画像表示プログラムをＤＶＤ等に記録して歯科医師等に渡してもよいことは勿論である。
【００２３】
このように、本発明を適用した歯科画像表示プログラムは、電子計算機に、歯科補綴物に関する情報を表示する機能を付与するので、本発明を適用した歯科画像表示プログラムがインストールされたコンピュータの画面には、歯科補綴物に関する情報即ち差し歯、インレー、ラミネート、コア、入れ歯、インプラント、ホワイトニング等についての材質、説明文、インレー等が適用された歯の見本画像等が表示され、また、歯科補綴物を説明する音声がランダムに流され、歯科医院において患者は、治療内容を事前に理解でき、よって、患者に対して密にコミュニケーションを図り、信頼に基づく治療を支援できる。
また、従来の義歯見本に比べて、電子データである本発明を適用した歯科画像表示プログラムは多くの情報を有することができると共に、大きなスペースを必要とせずに様々な情報を、電子計算機の表示画面を通じて表示できる。
【００２４】
また、本発明を適用した歯科画像表示プログラムは、電子計算機に、歯科補綴物を装着する前の歯の画像と歯科補綴物を装着した後の歯の画像とを表示する機能を付与するので、患者は治療前と治療後の歯の状態を比較でき、より一層治療内容を理解できる。
【００２５】
更に、本発明を適用した歯科画像表示プログラムは、電子計算機に、歯の画像を回転表示する機能を付与するので、患者は、例えば歯科補綴物が装着された歯の画像を立体的に把握することが可能となる。
【００２６】
また、本発明を適用した歯科画像表示プログラムの販売システムは、歯科医療拠点から販売拠点へ歯の画像を送るステップを備えているので、患者の歯と接する機会の多い歯科医療拠点から効率よく、歯科画像表示プログラムに入力する歯の画像を入手でき、更に、「プログラムの売上額のうち所定の割合の額を支払う」といった所定の条件に従って前記販売拠点から前記歯科医療拠点へ報酬を提供するステップを備えているので、歯科医師等の歯科医療従事者は積極的に歯の画像を提供したり、歯科画像表示プログラムの宣伝を講演会等で積極的に行なったりして、歯科画像表示プログラムの販売を促進でき、よって、広く歯科医療の現場に本発明を適用した歯科画像表示プログラムが行き渡ることにより、歯科医師は治療内容を詳しく患者に説明でき、よって、患者に対して密にコミュニケーションを図り、信頼に基づく治療を支援できる。また、著名な歯科医師は、自身が保有する症例写真を販売拠点へ提供するだけで、所定の条件に従って報酬が得られるため、従来のように講演前の準備等の手間を要さなくても、少ない手間で報酬を得ることができる。
【図面の簡単な説明】
【００２７】
【図１】本発明を適用した歯科画像表示プログラムがインストールされたコンピュータの画面に表示された歯科補綴物の説明表の一例を示す概略図である。
【図２】本発明を適用した歯科画像表示プログラムがインストールされたコンピュータの画面に表示された歯科補綴物の個別ページの一例を示す概略図である。
【図３】本発明を適用した歯科画像表示プログラムがインストールされたコンピュータの画面に表示された症例ページの一例を示す概略図である。
【符号の説明】
【００２８】
１    説明表
２    名称領域
３    保険適用可否領域
４    材質領域
５    説明領域
６    画像領域
７    拡大ボタン
８    効果領域
９    回転ボタン
１０    症例画像領域
１１    動画ボタン
【図１】
2007117423.tif 000003
【図２】
2007117423.tif 000004
【図３】
2007117423.tif 000005